(57)【要約】【課題】プレゼンス情報等のメッセージ情報を送信するためのサーバを用いず、通信網のトラフィックが増大しないように、着信側端末機から容易に着信者のメッセージ情報を発信側端末機へ送信すること。【解決手段】発信側端末機１４から着信側端末機１５への接続時に、着信側端末機１５がオフフックされる前に当該端末機１５において着信者が選択又は事前設定したプレゼンス情報等のメッセージ情報を、呼制御信号に設定して、発着信交換機１２，１３で同様に呼制御信号に設定しながら発信側端末機１４へ通知する。【選択図】      図１
2008042242.tif 000002
【特許請求の範囲】
【請求項１】
複数の通信端末機が発信側及び着信側の交換機を介して通信を行う電話着信時メッセージ通知システムにおいて、
通信端末機は、発信側通信端末機からの発着信交換機を介した着信側通信端末機への着信時に、着信側通信端末機のオフフック前に当該着信側通信端末機に設定されたメッセージ情報を、着信側通信端末機から着信側交換機への呼制御信号に設定する第１の設定手段を備え、
着信側交換機は、当該着信側交換機から発信側交換機への呼制御信号に、前記着信側通信端末機からの呼制御信号中のメッセージ情報を設定する第２の設定手段を備え、
発信側交換機は、当該発信側交換機から発信側通信端末機への呼制御信号に、前記着信側交換機からの呼制御信号中のメッセージ情報を設定する第３の設定手段を備えたことを特徴とする電話着信時メッセージ通知システム。
【請求項２】
前記通信端末機は、前記着信時に複数のアイコンを表示させ、これらアイコンの中から当該端末機のオフフック前に選択操作に応じて選択し、この選択されたアイコンに応じてメッセージ情報を決定する表示選択決定手段を備えたことを特徴とする請求項１に記載の電話着信時メッセージ通知システム。
【請求項３】
前記通信端末機は、入力操作によって所望の情報を入力できるよう制御し、この制御のもとに入力された情報を前記メッセージ情報として事前に設定する事前操作設定手段を備えたことを特徴とする請求項１に記載の電話着信時メッセージ通知システム。
【請求項４】
前記通信端末機は、当該通信端末機に設けられたスケジュール情報をユーザに通知するためのスケジューラのスケジュール情報を、当該情報が対応付けられた時間に、発信者への通知メッセージ情報として設定する事前連携設定手段を備えたことを特徴とする請求項１に記載の電話着信時メッセージ通知システム。
【請求項５】
前記通信端末機は、当該通信端末機に設けられた外部からの電波に重畳された情報を受信する近距離無線受信部で受信された情報を、発信者への通知メッセージ情報として設定する事前受信設定手段を備えたことを特徴とする請求項１に記載の電話着信時メッセージ通知システム。
【請求項６】
前記通信端末機は、前記メッセージ情報の通知先の通信端末機が、予め通知可能として定められた複数の通信端末機の中に存在すると判定した場合に、当該メッセージ情報の送信を許可する判定許可手段を更に備えたことを特徴とする請求項１から５の何れか１項に記載の電話着信時メッセージ通知システム。
【発明の詳細な説明】
【技術分野】
【０００１】
本発明は、発信側携帯電話機から着信側携帯電話機への接続時に、発信者が発信側携帯電話機にて着信者の状態（プレゼンス）を知ることができる電話着信時メッセージ通知システムに関する。
【背景技術】
【０００２】
従来のプレゼンスサービスは、ユーザの状態を示すプレゼンス情報を通信網に設置されたサーバに定期的に通知することにより、例えば発信者から着信者への接続時に発信者が自分の携帯電話機で着信者の状態を知ることができ、発信者は着信者の状態を考慮した通信制御を行うといったことが考えられている。
この種の従来技術として、例えば特許文献１に記載されたシステムがある。
【０００３】
この内容は、着信者の現在の状況を示すプレゼンス情報に対応して、着信者が指定した通信方法をサービス制御局に格納し、この着信者のプレゼンス情報に対応する通信方法のうち、発信者が端末機で所望の通信方法を選択し、この選択された通信方法を実行可能な指令を通信制御局で生成し、この生成指令に従って情報転送装置が発着信の端末機間で情報を転送するといったものである。
【特許文献１】特開２００３−１６９１３７号公報
【発明の開示】
【発明が解決しようとする課題】
【０００４】
しかし、従来のプレゼンスサービスを行うシステムでは、通信網にプレゼンス情報を蓄積するためのサーバが必要となるので、そのサーバ設置のための費用が必要となるという問題がある。この問題は、上記特許文献１においても、プレゼンス情報を発信者の端末機へ送信する際に、サービス制御局、通信制御局、情報転送装置（サーバ）が必要となるので同様である。
【０００５】
また、プレゼンスサービスを利用するユーザは自分の携帯電話機から定期的にプレゼンス情報をサーバに通知する必要があるので、通信網のトラフィックが増大し、また、通知のための操作が面倒であるという問題がある。
本発明は、このような課題に鑑みてなされたものであり、プレゼンス情報等のメッセージ情報を送信するためのサーバを用いず、通信網のトラフィックが増大しないように、着信側端末機から容易に着信者のメッセージ情報を発信側端末機へ送信することができる電話着信時メッセージ通知システムを提供することを目的としている。
【課題を解決するための手段】
【０００６】
上記目的を達成するために、本発明の請求項１による電話着信時メッセージ通知システムは、複数の通信端末機が発信側及び着信側の交換機を介して通信を行う電話着信時メッセージ通知システムにおいて、通信端末機は、発信側通信端末機からの発着信交換機を介した着信側通信端末機への着信時に、着信側通信端末機のオフフック前に当該着信側通信端末機に設定されたメッセージ情報を、着信側通信端末機から着信側交換機への呼制御信号に設定する第１の設定手段を備え、着信側交換機は、当該着信側交換機から発信側交換機への呼制御信号に、前記着信側通信端末機からの呼制御信号中のメッセージ情報を設定する第２の設定手段を備え、発信側交換機は、当該発信側交換機から発信側通信端末機への呼制御信号に、前記着信側交換機からの呼制御信号中のメッセージ情報を設定する第３の設定手段を備えたことを特徴とする。
【０００７】
この構成によれば、着信側通信端末機が、発信側交換機からの着信時にオフフック前に、着信者のメッセージ情報を呼制御信号に設定して発着信交換機を介して発信側通信端末機へ送信できるようにしたので、プレゼンス情報等のメッセージ情報を送信するためのサーバを用いずに、メッセージ情報を送信することができる。これによって、従来は必要だったサーバ設置費用を削減することができる。また、従来のようにユーザが自分の通信端末機から定期的にプレゼンス情報等のメッセージ情報をサーバに通知する必要が無いので、従来のサーバへの通知のために発生していた通信網のトラフィックの増大を無くすことができる。
【０００８】
また、本発明の請求項２による電話着信時メッセージ通知システムは、請求項１において、前記通信端末機は、前記着信時に複数のアイコンを表示させ、これらアイコンの中から当該通信端末機のオフフック前に選択操作に応じて選択し、この選択されたアイコンに応じてメッセージ情報を決定する表示選択決定手段を備えたことを特徴とする。
この構成によれば、着信時に複数のアイコンが自動的に表示され、これらの中から着信者がオフフック前に所望のアイコンを選択操作するだけで、所望のメッセージ情報が決定される。この後は、そのメッセージ情報が呼制御信号に設定されて発信側通信端末機へ送信される。従って、着信者は、着信側通信端末機から容易に自分のメッセージ情報を発信側通信端末機へ送信することができる。
【０００９】
また、本発明の請求項３による電話着信時メッセージ通知システムは、請求項１において、前記通信端末機は、入力操作によって所望の情報を入力できるよう制御し、この制御のもとに入力された情報を前記メッセージ情報として事前に設定する事前操作設定手段を備えたことを特徴とする。
この構成によれば、ユーザが着信側通信端末機に事前にメッセージ情報を設定しておくことができるので、着信時オフフック前に、着信者の操作無しに、メッセージ情報を発信側通信端末機へ送信することができる。
【００１０】
また、本発明の請求項４による電話着信時メッセージ通知システムは、請求項１において、前記通信端末機は、当該通信端末機に設けられたスケジュール情報をユーザに通知するためのスケジューラのスケジュール情報を、当該情報が対応付けられた時間に、発信者への通知メッセージ情報として設定する事前連携設定手段を備えたことを特徴とする。
この構成によれば、ユーザが着信側通信端末機のスケジューラに事前に設定したスケジュール情報を、この予定時間にメッセージ情報として設定しておくことができるので、着信時オフフック前に、着信者の操作無しに、メッセージ情報を発信側通信端末機へ送信することができる。
【００１１】
また、本発明の請求項５による電話着信時メッセージ通知システムは、請求項１において、前記通信端末機は、当該通信端末機に設けられた外部からの電波に重畳された情報を受信する近距離無線受信部で受信された情報を、発信者への通知メッセージ情報として設定する事前受信設定手段を備えたことを特徴とする。
この構成によれば、ユーザが着信側通信端末機の近距離無線受信部で受信された情報を、メッセージ情報として設定しておくことができるので、着信時オフフック前に、着信者の操作無しに、メッセージ情報を発信側通信端末機へ送信することができる。
【００１２】
また、本発明の請求項６による電話着信時メッセージ通知システムは、請求項１から５の何れか１項において、前記通信端末機は、前記メッセージ情報の通知先の通信端末機が、予め通知可能として定められた複数の通信端末機の中に存在すると判定した場合に、当該メッセージ情報の送信を許可する判定許可手段を更に備えたことを特徴とする。
この構成によれば、メッセージ情報を無条件で発信側通信端末機に通知するのではなく、通信端末機単位でメッセージ情報を通知してよいか判定するので、いわゆるワン切りや間違い電話の際にメッセージ情報を見知らぬ人に通知してしまうことを防ぐことができる。
【発明の効果】
【００１３】
以上説明したように本発明によれば、プレゼンス情報等のメッセージ情報を送信するためのサーバを用いず、通信網のトラフィックが増大しないように、着信側端末機から容易に着信者のメッセージ情報を発信側端末機へ送信することができるという効果がある。
【発明を実施するための最良の形態】
【００１４】
以下、本発明の実施の形態を、図面を参照して説明する。但し、本明細書中の全図において相互に対応する部分には同一符号を付し、重複部分においては後述での説明を適時省略する。
（第１の実施の形態）
図１は、本発明の第１の実施の形態に係る電話着信時メッセージ通知システムの構成を示すブロック図である。
図１に示す電話着信時メッセージ通知システム１０は、移動体通信網１１と、この移動体通信網１１に有線接続された発信側交換機１２と、着信側交換機１３とを備え、また、移動体通信網１１に無線接続される複数の携帯電話機１４，１５を備えて構成されている。
【００１５】
但し、各携帯電話機１４，１５は、本実施の形態では一方の携帯電話機１４を発信側端末機１４、他方の携帯電話機１５を着信側端末機１５とも称す。
この電話着信時メッセージ通知システム１０の特徴は、発信側端末機１４から着信側端末機１５への接続時に、着信側端末機１５がオフフックされる前に当該端末機１５において着信者が選択又は事前設定したプレゼンス情報等のメッセージ情報を、呼制御信号に設定して発信側端末機１４へ通知するようにした点にある。
発信側交換機１２は呼制御信号制御部（第３の設定手段）１２ａを備え、着信側交換機１３は呼制御信号制御部１３ａを備えている。
【００１６】
着信側の呼制御信号制御部（第２の設定手段）１３ａは、着信側交換機１３から発信側交換機１２へ送信される呼制御信号に、着信側端末機１５からの呼制御信号に設定されてきた着信者のメッセージ情報を設定するものである。
発信側の呼制御信号制御部１２ａは、発信側交換機１２から発信側端末機１４へ送信される呼制御信号に、着信側交換機１３からの呼制御信号に設定されてきた着信者のメッセージ情報を設定するものである。
【００１７】
各携帯電話機１４，１５は、図２に示すように、制御部２１と、送受信部２２と、近距離無線受信部２３と、画面表示部２４と、キー入力部２５と、記憶部２６と、音声入出力部２７とを備えて構成されている。
送受信部２２は、移動体通信網１１と無線で信号の送受信を行う。近距離無線受信部２３は、当該携帯電話機１４，１５の周辺に存在する無線機器から所望の情報を近距離無線信号として受信する。画面表示部２４は、文字や記号、画像、アイコン等を表示する。
【００１８】
キー入力部２５は、発着信操作や情報入力などの携帯電話機一般の操作や、画面表示部２４に表示されたアイコンの選択操作等の各種入力操作を行うためのものである。記憶部２６は、当該携帯電話機１４，１５で送受信される情報並びに制御処理に必要な情報など各種情報を記憶する。音声入出力部２７は、発着信時の呼び出し音やキー入力音、音声など各種音を出力する。
【００１９】
制御部２１は、図３に示すように、アイコン表示制御部３１と、メッセージ選択操作制御部３２と、メッセージ決定制御部３３と、呼制御信号制御部（第１の設定手段）３４と、メッセージ出力制御部３５とを備えて構成されている。なお、アイコン表示制御部３１、メッセージ選択操作制御部３２及びメッセージ決定制御部３３によって表示選択決定手段が構成されている。
アイコン表示制御部３１は、発信側端末機１４から着信側端末機１５への接続時に、着信側端末機１５のオフフック前に画面表示部２４にアイコンを表示させると共に、音声入出力部２７から着信音を鳴らす制御を行う。
【００２０】
メッセージ選択操作制御部３２は、キー入力部２５の操作で画面表示部２４に表示されたアイコンを選択する制御を行う。
メッセージ決定制御部３３は、メッセージ選択操作制御部３２で選択されたアイコンに応じてメッセージ情報を決定する制御を行う。
呼制御信号制御部３４は、メッセージ決定制御部３３にて決定されたメッセージ情報を接続応答信号（呼制御信号）に設定する制御を行う。
メッセージ出力制御部３５は、着信者Ｂが設定したメッセージ情報を画面表示部２４に表示させる制御を行う。又は、そのメッセージ情報を音声入出力部２７から音声出力するように制御する。更には、それらのメッセージ情報の表示及び音声出力の双方を行うように制御してもよい。
【００２１】
次に、このような構成の第１の実施の形態の電話着信時メッセージ通知システム１０において、発信側端末機１４から着信側端末機１５への接続時、着信者が選択したプレゼンスのメッセージ情報を発信側端末機１４へ通知する際の動作を、図４に示すシーケンス図を参照して説明する。
まず、図５（ａ）に示すように、発信者Ａが発信側端末機１４から着信者Ｂの着信側端末機１５へ発信を行ったとする。
【００２２】
これによって、ステップＳ１，Ｓ２，Ｓ３において、発信側端末機１４からの接続要求が発信側交換機１２及び着信側交換機１３で中継され、着信側端末機１５に到達すると、着信側端末機１５が、ステップＳ４において、アイコン表示制御部３１の制御によって、図５（ｂ）に示すように画面表示部２４にアイコンを表示させると共に、音声入出力部２７から着信音を鳴らす。
この着信音に気付いた着信者Ｂが、ステップＳ５において、図５（ｃ）に示すようにキー入力部２５の操作でアイコン選択を行うと、メッセージ選択操作制御部３２でそのアイコンが選択される。
【００２３】
そして、ステップＳ６において、メッセージ決定制御部３３にて、その選択されたアイコンに応じてメッセージ情報が決定され、また、呼制御信号制御部３４によって、そのメッセージ情報が接続応答信号（呼制御信号）に設定される。
なお、上記ステップＳ５のアイコン選択に代え、着信者がキー入力部２５の操作にてメッセージ情報を直接入力し、この入力されたメッセージ情報をメッセージ決定制御部３３が決定するようにしても良い。
この後、ステップＳ７，Ｓ８，Ｓ９において、同様にメッセージ情報が着信側交換機１３から発信側交換機１２への接続応答信号に設定、発信側交換機１２から発信側端末機１４への接続応答信号に設定されて送信される。
【００２４】
この際、同時にステップＳ１０において、着信側交換機１３から発信側交換機１２を介した発信側端末機１４へ、相手側を呼び出し中であることを知らせる音信号であるＲＢＴ(Ring Back Tone)が送信される。
このＲＢＴ並びに上記の接続応答信号を発信側端末機１４が受信すると、ステップＳ１１において、発信側端末機１４が音声入出力部２７から呼出音を鳴らし、メッセージ出力制御部３５の制御によって、図５(ｄ)に示すように、着信者Ｂが設定したメッセージ情報を画面表示部２４に表示させる。又は、メッセージ情報を音声入出力部２７から音声出力するように制御する。
【００２５】
なお、破線枠Ｙ１で囲んだ部分は、メッセージ到達確認のための手順でオプション機能となる。つまり、発信側端末機１４から発着信交換機１２，１３を介して着信側端末機１５へメッセージ送達通知を行い、これを受けた着信側端末機１５が発着信交換機１２，１３を介して発信側端末機１４へメッセージ取得通知応答を返信する。
このように、第１の実施の形態の電話着信時メッセージ通知システム１０によれば、着信側端末機１５が、発信側端末機１４からの発着信交換機１２，１３を介した当該着信側端末機１５への着信時に、当該着信側端末機１５のオフフック前に着信者により指定されたメッセージ情報を、呼制御信号制御部３４によって、着信側端末機１５から着信側交換機１３への呼制御信号である接続応答信号に設定する。
【００２６】
更に、着信側交換機１３が、呼制御信号制御部１３ａによって、当該着信側交換機１３から発信側交換機１２への接続応答信号に、着信側端末機１５からの呼制御信号中のメッセージ情報を設定する。そして、発信側交換機１２が、呼制御信号制御部１２ａによって、当該発信側交換機１２から発信側端末機１４への呼制御信号に、着信側交換機１３からの呼制御信号中のメッセージ情報を設定するようにした。
【００２７】
これによって、着信側端末機１５が、発信側交換機１２からの着信時にオフフック前に、着信者のメッセージ情報を呼制御信号に設定して発着信交換機１２，１３を介して発信側端末機１４へ送信できるようにしたので、プレゼンス情報等のメッセージ情報を送信するためのサーバを用いずに、メッセージ情報を送信することができる。従って、従来は必要だったサーバ設置費用を削減することができる。また、従来のようにユーザが自分の端末機から定期的にプレゼンス情報等のメッセージ情報をサーバに通知する必要が無いので、従来のサーバへの通知のために発生していた通信網のトラフィックの増大を無くすことができる。
【００２８】
また、第１の実施の形態では、着信側端末機１５が、着信時にアイコン表示制御部３１によって複数のアイコンを表示させ、これらアイコンの中から当該端末機１５のオフフック前にメッセージ選択操作制御部３２によって着信者操作に応じてアイコンを選択し、このアイコンに応じてメッセージ決定制御部３３がメッセージ情報を決定するようにした。
これによって、着信時に複数のアイコンが自動的に表示され、これらの中から着信者がオフフック前に所望のアイコンを選択操作するだけで、所望のメッセージ情報が決定される。この後は、そのメッセージ情報が呼制御信号に設定されて発信側端末機１４へ送信されるので、着信者は、着信側端末機１５から容易な操作で自分のメッセージ情報を発信側端末機１４へ送信することができる。
【００２９】
（第２の実施の形態）
図６は、本発明の第２の実施の形態に係る電話着信時メッセージ通知システムにおける携帯電話機の制御部の構成を示すブロック図である。
第２の実施の形態の電話着信時メッセージ通知システムが、第１の実施の形態のシステムと異なる点は、携帯電話機１４，１５の制御部２１ａである。
制御部２１ａは、メッセージ事前操作設定制御部（事前操作設定手段）４１と、メッセージ事前連携設定制御部（事前連携設定手段）４２と、メッセージ事前受信設定制御部（事前受信設定手段）４３と、メッセージ決定制御部３３と、呼制御信号制御部３４と、メッセージ出力制御部３５とを備えて構成されている。
【００３０】
メッセージ事前操作設定制御部４１は、携帯電話機１４，１５において、ユーザがキー入力部２５からキー操作によって所望のメッセージ情報を、当該メッセージ情報を通知する発信者毎に入力できるようにする制御と、その入力情報を記憶部２６に発信者への通知メッセージ情報として設定する制御を行う。
メッセージ事前連携設定制御部４２は、携帯電話機１４，１５において、通常設けられている着信者のスケジューラに記載されたスケジュール情報を、当該情報が対応付けられた時間に、発信者への通知メッセージ情報として設定する制御を行う。なお、スケジューラは、携帯電話機１４，１５に通常設けられており、一般的にスケジュール情報を予定時間に対応付けて記憶し、この記憶情報を該当時間に表示するものである。
【００３１】
メッセージ事前受信設定制御部４３は、近距離無線受信部２３で受信された情報を、発信者への通知メッセージ情報として設定する制御を行う。近距離無線受信部２３は、例えば車、電車、劇場等の場所に携帯電話機を所持するユーザが居る場合に、その場所に配置された外部装置から無線送信される情報を受信する。
メッセージ決定制御部３３は、メッセージ事前操作設定制御部４１、メッセージ事前連携設定制御部４２及びメッセージ事前受信設定制御部４３の何れかで設定されたメッセージ情報を、発信者への通知メッセージ情報として決定する制御を行う。その決定は、ユーザによって事前に設定されているものとする。
【００３２】
呼制御信号制御部３４は、メッセージ決定制御部３３にて決定されたメッセージ情報を接続応答信号（呼制御信号）に設定する制御を行う。
メッセージ出力制御部３５は、着信者Ｂが設定したメッセージ情報を画面表示部２４に表示させる制御を行う。又は、そのメッセージ情報を音声入出力部２７から音声出力するように制御する。更には、それらのメッセージ情報の表示及び音声出力の双方を行うように制御してもよい。
【００３３】
次に、このような構成の第２の実施の形態の電話着信時メッセージ通知システムにおいて、発信側端末機１４から着信側端末機１５への接続時、事前に設定されたプレゼンスのメッセージ情報を発信側端末機１４へ通知する際の動作を、図７に示すシーケンス図を参照して説明する。
まず、ステップＳ２１において、着信者が着信側端末機１５によって事前にメッセージ情報を設定しておく。この事前設定には次の（１）〜（３）の３種類がある。
【００３４】
（１）着信側端末機１５のメッセージ事前操作設定制御部４１の制御によって、着信者がキー入力部２５からキー操作によって所望のメッセージ情報を、当該メッセージ情報を通知する発信者毎に入力し、これを記憶部２６に記憶させておく。
（２）着信側端末機１５のメッセージ事前連携設定制御部４２の制御によって、着信側端末機１５に通常設けられている着信者のスケジューラに記載されたスケジュール情報を、当該情報が対応付けられた時間に発信者への通知メッセージ情報として設定する。
【００３５】
（３）着信側端末機１５のメッセージ事前受信設定制御部４３の制御によって、近距離無線受信部２３で受信された情報を、発信者への通知メッセージ情報として設定する。
この中から、着信者は（２）のスケジューラとの連携により設定されたメッセージ情報を、発信者への送信情報として設定しているものとする。
この場合に、ステップＳ２２，Ｓ２３，Ｓ２４において、発信側端末機１４からの接続要求が発信側交換機１２及び着信側交換機１３で中継され、着信側端末機１５に到達したとする。
【００３６】
この際、着信側端末機１５では、その接続要求の到達時間に対応するスケジュール時間の情報が、既にメッセージ事前連携設定制御部４２の制御によって通知メッセージ情報として設定されている。従って、ステップＳ２５において、その設定されたメッセージ情報がメッセージ決定制御部３３にて、発信者への通知メッセージ情報として決定され、更に、呼制御信号制御部３４によって、そのメッセージ情報が接続応答信号（呼制御信号）に設定される。
【００３７】
この後、ステップＳ２６，Ｓ２７，Ｓ２８において、同様にメッセージ情報が着信側交換機１３から発信側交換機１２への接続応答信号に設定、発信側交換機１２から発信側端末機１４への接続応答信号に設定されて送信される。
この際、同時にステップＳ２９において、着信側交換機１３から発信側交換機１２を介した発信側端末機１４へＲＢＴが送信される。
【００３８】
このＲＢＴ並びに上記の接続応答信号を発信側端末機１４が受信すると、ステップＳ３０において、発信側端末機１４が音声入出力部２７から呼出音を鳴らし、メッセージ出力制御部３５の制御によって、着信者のメッセージ情報を画面表示部２４に表示させる。又は、メッセージ情報を音声入出力部２７から音声出力するように制御する。
このように、第２の実施の形態の電話着信時メッセージ通知システムによれば、着信側端末機１５が、メッセージ事前操作設定制御部４１によって、ユーザが入力操作によって所望の情報を入力できるよう制御し、この制御のもとに入力された情報をメッセージ情報として事前に設定するようにした。
【００３９】
これによって、着信側端末機１５は、着信時オフフック前に、着信者の操作無しに、メッセージ情報を発信側端末機１４へ送信することができる。
また、着信側端末機１５が、メッセージ事前連携設定制御部４２によって、当該端末機１５に設けられたスケジューラのスケジュール情報を、当該情報が対応付けられた時間に、発信者への通知メッセージ情報として設定するようにした。
これによって、ユーザが着信側端末機１５のスケジューラに事前に設定したスケジュール情報を、この予定時間にメッセージ情報として設定しておくことができるので、着信側端末機１５が着信時オフフック前に、着信者の操作無しに、メッセージ情報を発信側端末機１４へ送信することができる。
【００４０】
また、着信側端末機１５が、メッセージ事前受信設定制御部４３によって、当該端末機１５に設けられた近距離無線受信部２３で受信された情報を、発信者への通知メッセージ情報として設定するようにした。
これによって、ユーザが着信側端末機１５の近距離無線受信部２３で受信された情報を、メッセージ情報として設定しておくことができるので、着信側端末機１５が着信時オフフック前に、着信者の操作無しに、メッセージ情報を発信側端末機１４へ送信することができる。
【００４１】
（第３の実施の形態）
図８は、本発明の第３の実施の形態に係る電話着信時メッセージ通知システムにおける携帯電話機の制御部の構成を示すブロック図である。
第３の実施の形態の電話着信時メッセージ通知システムが、第１の実施の形態のシステムと異なる点は、携帯電話機１４，１５の制御部２１ｂにおいて、メッセージ決定制御部３３と呼制御信号制御部３４との間に、メッセージ通知判定部（判定許可手段）５１を備えたことにある。
【００４２】
メッセージ通知判定部５１は、メッセージ決定制御部３３で決定されたメッセージ情報の通知先の携帯電話機１４が、予め通知可能として定められた複数の携帯電話機の中に存在するか否かを判定し、存在すると判定された場合に、そのメッセージ情報を呼制御信号制御部３４へ出力するものである。
従って、呼制御信号制御部３４は、本例の場合、メッセージ通知判定部５１から送られてきたメッセージ情報を、接続応答信号（呼制御信号）に設定する制御を行う。
【００４３】
次に、このような構成の第３の実施の形態の電話着信時メッセージ通知システムにおいて、発信側端末機１４から着信側端末機１５への接続時、事前に設定されたプレゼンスのメッセージ情報を通知可能か否かを判定して発信側端末機１４へ通知する際の動作を、図９に示すシーケンス図を参照して説明する。
本図９の動作は、上述した図７の動作と略同じであり、異なる点は、ステップＳ２５とＳ２６との間に、ステップＳ２５ａで示すように、メッセージ情報の送信許容判定を行うことにある。但し、本例ではステップＳ２５ではメッセージ決定制御部３３によるメッセージ情報の決定のみが行われるようになっている。
【００４４】
即ち、着信側端末機１５は、メッセージ通知判定部５１によって、メッセージ決定制御部３３で決定されたメッセージ情報の通知先である発信側端末機１４が、予め通知可能として定められた複数の端末機の中に存在するか否かを判定し、存在すると判定された場合に、そのメッセージ情報を呼制御信号制御部３４へ出力する。
そして、ステップＳ２５ｂにおいて、呼制御信号制御部３４によって、そのメッセージ情報が接続応答信号（呼制御信号）に設定される。この後、ステップＳ２６，Ｓ２７，Ｓ２８において、同様にメッセージ情報が着信側交換機１３から発信側交換機１２への接続応答信号に設定、発信側交換機１２から発信側端末機１４への接続応答信号に設定されて送信される。
【００４５】
しかし、上記ステップＳ２５ａにて、メッセージ情報の通知が許可されない場合、呼制御信号制御部３４によって呼制御信号へのメッセージ情報の設定は行われず、呼制御信号のみが送信される。
このように、第３の実施の形態の電話着信時メッセージ通知システムによれば、着信側端末機１５が、メッセージ通知判定部５１によって、メッセージ情報の通知先の発信側端末機１４が、予め通知可能として定められた複数の端末機の中に存在すると判定した場合に、当該メッセージ情報の送信を許可するようにした。
これによって、メッセージ情報を無条件で発信側端末機１４に通知するのではなく、端末機単位でメッセージ情報を通知してよいか判定するので、いわゆるワン切りや間違い電話の際にメッセージ情報を見知らぬ人に通知してしまうことを防ぐことができる。
【００４６】
なお、以上の全実施の形態は、複数の携帯電話機１４，１５が移動体通信網１１を介して通信を行う移動体通信システムをベースとしたが、宅内や会社内等に設置される据置型の電話機が有線通信網を介して通信を行う有線通信システムをベースとした場合、或いは移動体通信システム及び有線通信システムを連携した通信システムをベースとした場合にも同様に適用して、同様の効果を得ることができる。
【図面の簡単な説明】
【００４７】
【図１】本発明の第１の実施の形態に係る電話着信時メッセージ通知システムの構成を示すブロック図である。
【図２】本実施の形態に係る電話着信時メッセージ通知システムにおける携帯電話機の内部構成を示すブロック図である。
【図３】第１の実施の形態に係る電話着信時メッセージ通知システムにおける携帯電話機の制御部の構成を示すブロック図である。
【図４】第１の実施の形態の電話着信時メッセージ通知システムにおいて、発信側端末機から着信側端末機への接続時、メッセージ情報を発信側端末機へ通知する際の動作を説明するためのシーケンス図である。
【図５】第１の実施の形態の電話着信時メッセージ通知システムにおいて、発信側端末機から着信側端末機への接続時、メッセージ情報を発信側端末機へ通知する際の動作を説明するための画面図である。
【図６】第２の実施の形態に係る電話着信時メッセージ通知システムにおける携帯電話機の制御部の構成を示すブロック図である。
【図７】第２の実施の形態の電話着信時メッセージ通知システムにおいて、発信側端末機から着信側端末機への接続時、メッセージ情報を発信側端末機へ通知する際の動作を説明するためのシーケンス図である。
【図８】第３の実施の形態に係る電話着信時メッセージ通知システムにおける携帯電話機の制御部の構成を示すブロック図である。
【図９】第３の実施の形態の電話着信時メッセージ通知システムにおいて、発信側端末機から着信側端末機への接続時、メッセージ情報を発信側端末機へ通知する際の動作を説明するためのシーケンス図である。
【符号の説明】
【００４８】
１０  電話着信時メッセージ通知システム
１１  移動体通信網
１２  発信側交換機
１２ａ，１３ａ  呼制御信号制御部
１３  着信側交換機
１４  発信側端末機（発信側携帯電話機）
１５  着信側端末機（着信側携帯電話機）
２１  制御部
２２  送受信部
２３  近距離無線受信部
２４  画面表示部
２５  キー入力部
２６  記憶部
２７  音声入出力部
３１  アイコン表示制御部
３２  メッセージ選択操作制御部
３３  メッセージ決定制御部
３４  呼制御信号制御部
３５  メッセージ出力制御部
４１  メッセージ事前操作設定制御部
４２  メッセージ事前連携設定制御部
４３  メッセージ事前受信設定制御部
５１  メッセージ通知判定部
【図１】
2008042242.tif 000003
【図２】
2008042242.tif 000004
【図３】
2008042242.tif 000005
【図４】
2008042242.tif 000006
【図５】
2008042242.tif 000007
【図６】
2008042242.tif 000008
【図７】
2008042242.tif 000009
【図８】
2008042242.tif 000010
【図９】
2008042242.tif 000011